(57)【要約】【課題】処理装置で受信した映像信号を表示装置で受信した映像信号より優先して表示させる。【解決手段】操作装置４０は、放送波を受信して当該放送波が表すコンテンツを再生する表示装置２０と、通信網１６から映像信号を受信して当該映像信号が表すコンテンツを表示装置２０に表示させる処理装置３０とを具備する映像再生システム１００に利用され、利用者による操作を受付ける操作受付部４３と、操作受付部４３が受付けた操作を表す操作信号を第１通信方式および第２通信方式で送信可能な送信部と、処理装置３０の動作状態に応じて、第１通信方式を用いて操作信号を送信部に送信させるか、または第２通信方式を用いて操作信号を送信部に送信させるかを制御する制御装置４１とを備える。【選択図】図２
2019050525.tif 000002
【特許請求の範囲】
【請求項１】
放送波を受信して当該放送波が表すコンテンツを再生する表示装置と、通信網から映像信号を受信して当該映像信号が表すコンテンツを前記表示装置に表示させる処理装置とを具備する映像再生システムに利用される操作装置であって、
利用者による操作を受付ける操作受付部と、
前記操作受付部が受付けた操作を表す操作信号を、前記表示装置で受信可能な第１通信方式、および前記処理装置で受信可能な第２通信方式で送信可能な送信部と、
前記処理装置の動作状態に応じて、前記第１通信方式を用いて前記操作信号を前記送信部に送信させるか、または前記第２通信方式を用いて前記操作信号を前記送信部に送信させるかを制御する制御部と、
を備える操作装置。
【請求項２】
前記制御部は、前記処理装置の動作状態が前記処理装置を用いてコンテンツを視聴可能である場合には、前記第２通信方式を用いて前記操作信号を前記送信部に送信させ、前記処理装置の動作状態が前記処理装置を用いてコンテンツを視聴不可能である場合には、前記第１通信方式を用いて前記操作信号を前記送信部に送信させる、請求項１に記載の操作装置。
【請求項３】
前記処理装置において、前記映像信号を受信するためには配信サービスへの加入が必要であり、
前記処理装置の動作状態には、前記配信サービスに加入の有無が含まれており、
前記制御部は、前記配信サービスに加入の有無に応じて、前記第１通信方式を用いて前記操作信号を前記送信部に送信させるか、または前記第２通信方式を用いて前記操作信号を前記送信部に送信させるかを制御する、
請求項１に記載の操作装置。
【請求項４】
前記放送波には地上波デジタル放送に関わる地上波が含まれ、
前記処理理装置の動作状態には、前記地上波デジタル放送に関わる映像信号を前記通信網を介して受信可能である再送信エリア内に当該処理装置が位置するか否かが含まれており、
前記制御部は、前記再送信エリア内に当該処理装置が位置するか否かに応じて、前記第１通信方式を用いて前記操作信号を前記送信部に送信させるか、または前記第２通信方式を用いて前記操作信号を前記送信部に送信させるかを制御する、
請求項１に記載の操作装置。
【請求項５】
前記処理理装置の動作状態には、当該処理装置から出力する映像信号が前記表示装置において表示対象となっているか否かが含まれており、
前記制御部は、当該処理装置から出力する映像信号が前記表示装置において表示対象となっているか否かに応じて、前記第１通信方式を用いて前記操作信号を前記送信部に送信させるか、または前記第２通信方式を用いて前記操作信号を前記送信部に送信させるかを制御する、
請求項１に記載の操作装置。
【請求項６】
前記制御部は、
前記操作受付部が前記表示装置に対する前記利用者の操作を受け付けると、
前記第１通信方式を用いて前記操作信号を前記送信部に送信させるとともに、
前記第２通信方式を用いて前記処理装置を起動状態に遷移させる制御信号を前記送信部に送信させる
請求項１に記載の操作装置。
【請求項７】
放送波を受信して当該放送波が表すコンテンツを再生する表示装置に、通信網から受信した映像信号が表すコンテンツを表示させる処理装置と、操作装置とを具備し、
前記操作装置は、
利用者による操作を受付ける操作受付部と、
前記操作受付部が受付けた操作を表す操作信号を、前記表示装置で受信可能な第１通信方式、および前記処理装置で受信可能な第２通信方式で送信可能な送信部と、
前記処理装置の動作状態に応じて、前記第１通信方式を用いて前記操作信号を前記送信部に送信させるか、または前記第２通信方式を用いて前記操作信号を前記送信部に送信させるかを制御する制御部とを備える、
再生制御システム。
【発明の詳細な説明】
【技術分野】
【０００１】
本発明は、映像の再生に関する。
【背景技術】
【０００２】
放送波を受信して映像を表示するテレビ受像機（表示装置の一例）と通信網を介して映像信号を受信するＳＴＢ（Set Top Box、処理装置の一例）とを組み合わせた映像再生システムが知られている。ＳＴＢには、映画、スポーツ映像、ライブ映像の他に再送信されたテレビ番組が配信される。
テレビ受像機を制御する装置として、特許文献１には、赤外線通信および無線通信の双方で通信するリモコンが開示されている。このリモコンは、所定のアプリケーションが起動すると通信方式を赤外線通信から無線通信に切り替える。
【先行技術文献】
【特許文献】
【０００３】
【特許文献１】特開２０１１−９１５０４号公報
【発明の概要】
【発明が解決しようとする課題】
【０００４】
ところで、放送波は天候に影響されて受信品質が低下することがある。また、視聴履歴を収集する観点から、ＳＴＢにおいて通信網から受信したテレビ番組を放送波で受信したテレビ番組よりも優先してテレビ受像機に表示したい場合がある。
しかしながら、上述したリモコンでは２つの通信方式でテレビ受像機を制御できても、ＳＴＢで受信した映像信号を優先してテレビ受像機で表示させることはできなかった。
本発明は、このような事情に鑑みてなされたものであり、処理装置で受信した映像信号を表示装置で受信した映像信号より優先して表示させることを解決課題の一つとする。
【課題を解決するための手段】
【０００５】
以上の課題を解決するために、本発明の好適な態様に係る操作装置は、放送波を受信して当該放送波が表すコンテンツを再生する表示装置と、通信網から映像信号を受信して当該映像信号が表すコンテンツを前記表示装置に表示させる処理装置とを具備する映像再生システムに利用される操作装置であって、利用者による操作を受付ける操作受付部と、前記操作受付部が受付けた操作を表す操作信号を、前記表示装置で受信可能な第１通信方式、および前記処理装置で受信可能な第２通信方式で送信可能な送信部と、前記処理装置の動作状態に応じて、前記第１通信方式を用いて前記操作信号を前記送信部に送信させるか、または前記第２通信方式を用いて前記操作信号を前記送信部に送信させるかを制御する制御部と、を備える。
【０００６】
本発明の好適な態様に係る再生制御システムは、放送波を受信して当該放送波が表すコンテンツを再生する表示装置に、通信網から受信した映像信号が表すコンテンツを表示させる処理装置と、操作装置とを具備し、前記操作装置は、利用者による操作を受付ける操作受付部と、前記操作受付部が受付けた操作を表す操作信号を、前記表示装置で受信可能な第１通信方式、および前記処理装置で受信可能な第２通信方式で送信可能な送信部と、前記処理装置の動作状態に応じて、前記第１通信方式を用いて前記操作信号を前記送信部に送信させるか、または前記第２通信方式を用いて前記操作信号を前記送信部に送信させるかを制御する制御部とを備える。
【発明の効果】
【０００７】
本発明によれば、処理装置で受信した映像信号を表示装置で受信した映像信号より優先して表示させることができる。
【図面の簡単な説明】
【０００８】
【図１】本発明に係る映像再生システムの構成を示すブロック図である。
【図２】映像再生システムの具体的な構成を示すブロック図である。
【図３】操作装置の構成を示す模式図である。
【図４】操作装置の動作を示すフローチャートである。
【図５】処理装置が再送信エリア内にある場合の映像再生システムの動作シーケンスを例示する説明図である。
【図６】処理装置が再送信エリア外にある場合の映像再生システムの動作シーケンスを例示する説明図である。
【発明を実施するための形態】
【０００９】
＜実施形態＞
図１は、本発明の実施形態に係る映像再生システム１０の構成を示すブロック図である。映像再生システム１０は、画像と音声とで構成される各種のコンテンツを再生するコンピュータシステムであり、図１に例示される通り、表示装置２０と処理装置３０と操作装置４０とを具備する。表示装置２０と処理装置３０とは、例えばＨＤＭＩ（登録商標）（High-Definition Multimedia Interface）ケーブル等の信号線を介して相互に接続される。ＨＤＭＩケーブルを介して処理装置３０から表示装置２０に映像信号を伝送することができる。また、ＨＤＭＩ規格１．２ａで定義されたＣＥＣ（Consumer Electronics Control）を用いて表示装置２０と処理装置３０との間で制御信号の送受信が可能である。
【００１０】
表示装置２０は、地上波または衛星波等の放送波を受信し、当該放送波が表すコンテンツ（すなわちテレビ番組）を再生するテレビ受像機である。具体的には、表示装置２０は、放送波を受信する受信機と、例えば液晶表示パネルまたは有機ＥＬ表示パネル等の表示パネルとを含んで構成される。なお、以下の説明では、地上波デジタル放送を地デジと省略し、衛星波デジタル放送をＢＳと省略する。
なお、地デジについては、インターネット経由でコンテンツを再送信する再送信エリアがある。再送信エリア外ではインターネット経由でコンテンツを再送信しない。
【００１１】
処理装置３０は、例えばインターネットを含む通信網１６を介して配信装置１２および管理装置１４と通信可能である。配信装置１２は、各種のコンテンツを表す映像信号を処理装置３０に送信（いわゆるＩＰ（Internet Protocol）放送）する。管理装置１４は、表示装置２０による再生の履歴を表す履歴情報を管理する。映像信号が表すコンテンツは、例えば、映画，スポーツ映像，ライブ映像等の各種の映像作品、または、再送信されたテレビ番組である。なお、地デジについては、インターネット経由で地デジのコンテンツを再送信する再送信エリアがあり、再送信エリア外ではインターネット経由で地デジのコンテンツを再送信しない。
【００１２】
処理装置３０は、配信装置１２が送信した映像信号を通信網１６から受信し、当該映像信号が表すコンテンツを表示装置２０に表示させる再生機器である。具体的には、通信網１６から受信した映像信号を表示装置２０が再生可能な形式に変換するＳＴＢ（Set Top Box）が処理装置３０として好適である。この例の配信装置１２からの映像信号を処理装置３０において受信するためには、配信サービスに加入する必要がある。この場合、映像再生システム１０の利用者は、配信サービスを提供する会社と映像信号の配信について契約を締結する必要がある。処理装置３０は契約に関する契約情報を記憶している。
処理装置３０の状態には、電源が遮断されている停止状態、電源が投入されＯＳが動作して映像信号を出力可能な起動状態、ＯＳは動作しているが映像信号を出力しないスタンバイ状態、およびＯＳが停止し映像信号を出力しないスリープ状態がある。処理装置３０は、停止状態、起動状態、スタンバイ状態およびスリープ状態のいずれにおいても、第２操作信号Ｑ２を受け付けて状態を遷移させることが可能である。
【００１３】
操作装置４０は、表示装置２０および処理装置３０を利用者が遠隔で操作するための入力機器である。操作装置４０の典型例は、映像再生システム１０に専用されるリモコン装置であるが、例えば携帯電話機またはスマートフォン等の可搬型の端末装置を操作装置４０として利用してもよい。処理装置３０および操作装置４０は、表示装置２０によるコンテンツの再生を制御する再生制御システム１８として機能する。
【００１４】
以上の説明から理解される通り、第１実施形態の表示装置２０は、当該表示装置２０が受信した放送波が表すコンテンツと、配信装置１２から配信されたコンテンツとを再生する。配信装置１２から配信されたコンテンツについては、表示装置２０による再生の履歴を処理装置３０が把握できる。他方、放送波が表すコンテンツについては、表示装置２０による再生の履歴を処理装置３０が把握できない。このため、なるべく処理装置３０で映像信号を再生することが好ましい。
【００１５】
図２は、操作装置４０および処理装置３０のハードウェア構成を示すブロック図である。処理装置３０は、制御装置３１と記憶装置３２と通信装置３３と受信機３４Ａと送信機３４Ｂと計時装置３５とを具備する。処理装置３０の各要素は、単体または複数のバスで相互に接続される。なお、処理装置３０の各要素は、単数または複数の機器で構成される。処理装置３０の一部の要素を省略してもよい。
【００１６】
制御装置３１は、処理装置３０の全体を制御するプロセッサであり、例えば単数または複数のチップで構成される。制御装置３１は、例えば、周辺装置とのインタフェース、演算装置およびレジスタ等を含む中央処理装置（ＣＰＵ）で構成される。なお、制御装置３１の機能の一部または全部を、ＤＳＰ、ＡＳＩＣ、ＰＬＤ、またはＦＰＧＡ等のハードウェアで実現してもよい。制御装置３１は、各種の処理を並列的または逐次的に実行する。
【００１７】
記憶装置３２は、制御装置３１が読取可能な記録媒体であり、制御装置３１が実行する複数のプログラムと制御装置３１が使用する各種のデータとを記憶する。記憶装置３２は、例えば、ＲＯＭ、ＥＰＲＯＭ、ＥＥＰＲＯＭまたはＲＡＭ等の記憶回路の１種類以上で構成される。計時装置３５（時刻特定部の例示）は、現在時刻を表す時刻情報を生成する時計回路である。
【００１８】
通信装置３３は、通信網１６を介して他の装置（例えば配信装置１２または管理装置１４）と通信する。通信装置３３は、例えばネットワークデバイス、ネットワークコントローラ、ネットワークカードまたは通信モジュールとも表記される。例えば、配信装置１２から送信される映像信号が通信装置３３により受信される。前述の通り、制御装置３１は、通信装置３３が受信した映像信号を表示装置２０が再生可能な形式に変換し、変換後の映像信号を表示装置２０に供給することでコンテンツを再生させる。
【００１９】
受信機３４Ａは、操作装置４０が送信した第２操作信号Ｑ２を受信する。具体的には、受信機３４Ａは、第２操作信号Ｑ２を受信するアンテナと、第２操作信号Ｑ２に対して復調や増幅等の処理を実行する処理回路とを含んで構成される。
送信機３４Ｂは、受信機３４Ａと対をなし、操作装置４０に後述するモード信号などを第２通信方式で送信する。
【００２０】
操作装置４０は、制御装置４１（制御部の例示）と記憶装置４２と操作受付部４３と第１送信機４４と第２送信機４５Ｂと受信機４５Ａとを具備する。
【００２１】
制御装置４１は、操作装置４０の全体を制御するプロセッサであり、例えば単数または複数のチップで構成される。制御装置４１は、例えば、周辺装置とのインタフェース、演算装置およびレジスタ等を含む中央処理装置（ＣＰＵ：Central Processing Unit）で構成される。なお、制御装置４１の機能の一部または全部を、ＤＳＰ（Digital Signal Processor）、ＡＳＩＣ（Application Specific Integrated Circuit）、ＰＬＤ（Programmable Logic Device）またはＦＰＧＡ（Field Programmable Gate Array）等のハードウェアで実現してもよい。制御装置４１は、各種の処理を並列的または逐次的に実行する。
【００２２】
記憶装置４２は、制御装置４１が読取可能な記録媒体であり、制御装置４１が実行する複数のプログラムと制御装置４１が使用する各種のデータとを記憶する。記憶装置４２は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。また、記憶装置３２は、配信サービスに加入に関する契約情報が記憶されている。
【００２３】
操作受付部４３は、利用者による操作を受付ける。図３に例示される通り、第１実施形態の操作受付部４３は、相異なる操作に対応する複数の操作子４７（４７ａ，４７ｂ，…，４７ｋ）を含んで構成される。利用者は、操作受付部４３の複数の操作子４７のうち所望の操作に対応する操作子４７を選択的に操作する。
【００２４】
図２の第１送信機４４は、操作受付部４３が受付けた操作を表す第１操作信号Ｑ１を送信する通信機器である。具体的には、第１送信機４４は、表示装置２０が受信可能な第１通信方式で第１操作信号Ｑ１を送信する。第１通信方式は、例えば赤外線を伝送媒体とする無線通信である。したがって、第１送信機４４は、例えば赤外線を放射する発光素子を含んで構成される。処理装置３０は、操作装置４０が第１通信方式により送信した第１操作信号Ｑ１を受信できない。
【００２５】
第２送信機４５Ｂは、操作受付部４３が受付けた操作を表す第２操作信号Ｑ２を送信する通信機器である。具体的には、第２送信機４５Ｂは、第１送信機４４が採用する第１通信方式とは相違する第２通信方式で第２操作信号Ｑ２を送信する。第２通信方式は、処理装置３０が受信可能な通信方式であり、例えばBluetooth（登録商標）またはWi-Fi（登録商標）等の近距離無線通信である。表示装置２０は、操作装置４０が第２通信方式により送信した第２操作信号Ｑ２を受信できない。
ここで、第１送信機４４および第２送信機４５Ｂは、操作受付部４３が受付けた操作を表す操作信号を、表示装置２０で受信可能な第１通信方式、および処理装置３０で受信可能な第２通信方式で送信可能な送信部Ｘとして機能する。第1通信方式で第１送信機４４から送信する場合の操作信号は第１操作信号Ｑ１であり、第２通信方式で第２送信機４５から送信する場合の操作信号は第２操作信号Ｑ２である。
また受信機４５Ａは処理装置３０の送信機３４Ｂから送信されるモード信号などを受信する。これによって、操作装置４０は、処理装置３０の動作状態を取得できる。
【００２６】
図３に示す複数の操作子４７は、操作に伴って常に第１通信方式によって第１操作信号Ｑ１が送信される第１の操作子群Ｂ１、操作に伴って常に第２通信方式によって第２操作信号Ｑ２が送信される第２の操作子群Ｂ２、処理装置３０の動作状態に応じて第１通信方式または第２通信方式のいずれかが選択される第３の操作子群Ｂ３に分類される。
【００２７】
第１の操作子群Ｂ１は、表示装置２０の再生音量の増減を指示するための操作子４７ｃ、表示装置２０の電源の投入または遮断を指示するための操作子４７ｋ、および表示装置２０の入力を切り替えるための操作子４７ｌを含む。操作子４７ｃ、操作子４７ｋ、および操作子４７ｌは、表示装置２０を制御するために用いられ、処理装置３０を操作するために用いられることはない。操作子４７ｃ、操作子４７ｋ、または操作子４７ｌが操作された場合、第１送信機４４は、第１通信方式で第１操作信号Ｑ１を送信する。
【００２８】
第２の操作子群Ｂ２は、ホーム画面を表示させるための操作子４７ｆ、通信網１６経由のコンテンツを選択するための操作子４７ｇ、および処理装置３０の電源の投入または遮断を指示するための操作子４７ｊを含む。操作子４７ｆ、操作子４７ｇおよび操作子４７ｊは、処理装置３０を制御するために用いられ、表示装置２０を操作するために用いられることはない。操作子４７ｆ、操作子４７ｇまたは操作子４７ｊが操作された場合、第２送信機４５Ｂは、第２通信方式で第２操作信号Ｑ２を送信する。
【００２９】
第３の操作子群Ｂ３に属する操作子４７は、処理装置３０の動作状態に応じて、第１通信方式で送信するか第２通信方式で送信するかが切り替わる。処理装置３０の動作状態には、配信サービスの契約の有無、処理装置３０が起動しているか否か、処理装置３０が再送信エリアに属しているか否かが含まれる。さらに、処理装置３０の動作状態には、処理装置３０から出力する映像信号が表示装置２０において表示対象となっているか否かが含まれる。
【００３０】
第３の操作子群Ｂ３に属する操作子４７としては、放送局の番号を指定するための操作子（数字キー）４７ａ、放送局の番号の増減を指示するための操作子４７ｂ、表示装置２０に表示される要素を選択するため操作子（十字キー）４７ｄ、番組表を表示させるための操作子４７ｅがある。例えば、表示装置２０に表示されるコンテンツが放送波を受信して得られたものである場合、利用者が操作子４７ａを操作すると、第１送信機４４は、第１通信方式で第１操作信号Ｑ１を送信する。一方、表示装置２０に表示されるコンテンツが処理装置３０から入力される映像信号によって得られたものである場合、利用者が操作子４７ｂを操作すると、第２送信機４５Ｂは、第２通信方式で第２操作信号Ｑ２を送信する。
【００３１】
また、第３の操作子群Ｂ３に属する操作子４７としては、地デジのコンテンツを指定するための操作子４７ｈおよびＢＳのコンテンツを指定するための操作子４７ｉが含まれる。配信サービスの加入、再送信エリア内、且つ処理装置３０の起動の条件が充足されれば、処理装置３０において通信網１６を介して地デジの映像信号を受信可能である。このような場合、操作子４７ｇが操作されると、第２送信機４５Ｂは、第２通信方式で第２操作信号Ｑ２を送信する。一方、上述した３つの条件を充足しない場合、処理装置３０から地デジの映像信号を出力することができないので、第１送信機４４は第１通信方式で第１操作信号Ｑ１を送信する。
【００３２】
また、配信サービスに加入しており、且つ処理装置３０が起動していれば、処理装置３０において通信網１６を介してＢＳの映像信号を受信可能である。このような場合、操作子４７ｉが操作されると、第２送信機４５Ｂは、第２通信方式で第２操作信号Ｑ２を送信する。一方、上述した２つの条件を充足しない場合、処理装置３０からＢＳの映像信号を出力することができないので、第１送信機４４は第１通信方式で第１操作信号Ｑ１を送信する。
【００３３】
本実施形態において、操作装置４０は、なるべく処理装置３０で受信した映像信号に基づくコンテンツを表示装置２０に表示させるように、処理装置３０の動作状態に応じて第３の操作子群Ｂ３に属する操作子４７ａ、４７ｂ、４７ｄ、４７ｅ、４７ｈまたは４７ｉが押下された場合に、通信方式を切り替える。以下の説明では、処理装置３０の動作状態をモードと称する。
【００３４】
図４は、処理装置３０においてモードを特定する処理を例示するフローチャートである。まず、制御装置３１は、表示装置２０が所定の仕様であるか否かを判定する（Ｓ１）。所定の仕様とは、表示装置２０において表示中のコンテンツが処理装置３０から入力されたものであるかを処理装置３０が確認できること、且つ処理装置３０から出力される制御信号に基づいて表示装置２０で表示されるコンテンツを処理装置３０から出力される映像信号に切り替え可能であることである。処理装置３０はＨＤＭＩ−ＣＥＣを用いて表示装置２０の仕様に関する情報を取得し、取得した仕様が所定の仕様であるか否か特定する。ここで、仕様に関する情報は、仕様そのものを表していなくてもよく、間接的に仕様を特定できる情報であればよい。例えば、表示装置２０の機種を特定する識別情報であってもよい。この場合、処理装置３０は通信網１６を介して識別情報と仕様との対応関係を取得し、取得した対応関係に基づいて、表示装置２０が所定の仕様を充足するか否かを判定してもよい。
【００３５】
表示装置２０が所定の仕様を充足しない場合（Ｓ１：ＮＯ）、制御装置３１は第１モードを示すモード信号を生成し、当該モード信号を操作装置４０に送信する（Ｓ２）。処理装置３０の動作状態が、表示装置２０が所定の仕様を充足しない第１モードである場合、操作装置４０は、以下のように動作する。
第１モードにおいて、第２の操作子群Ｂ２または第３の操作子群Ｂ３が操作された場合、操作装置４０は、第２通信方式で第２操作信号Ｑ２を処理装置３０に送信し、第１の操作子群Ｂ１が操作された場合、第１通信方式で第１操作信号Ｑ１を表示装置２０に送信する。
【００３６】
次に、表示装置２０が所定の仕様を充足する場合（Ｓ１：ＹＥＳ）、制御装置３１は、処理装置３０が起動状態であるか否かを判定する（Ｓ３）。処理装置３０が起動状態でない場合（Ｓ３：ＮＯ）、制御装置３１は第２モードを示すモード信号を生成し、当該モード信号を操作装置４０に送信する（Ｓ４）。処理装置３０の動作状態が第２モードである場合、操作装置４０は、以下のように動作する。
第２モードでは、第１の操作子群Ｂ１または第３の操作子群Ｂ３が操作された場合、操作装置４０は、第１通信方式で第１操作信号Ｑ１を表示装置２０に送信し、第２の操作子群Ｂ２が操作された場合、第２通信方式で第２操作信号Ｑ２を処理装置３０に送信する。
【００３７】
一方、処理装置３０が起動状態である場合（Ｓ３：ＹＥＳ）、制御装置３１は配信サービスに加入しているか否かを判定する（Ｓ５）。具体的には、制御装置３１は、記憶装置３２に記憶されている契約情報に基づいて配信サービスに加入しているか否かを判定する。配信サービスに加入していない場合、処理装置３０は通信網１６を介して地デジまたはＢＳの映像信号を取得することができない。このように配信サービスの加入の有無に応じて、モードを変更するので、配信サービスの加入の有無に応じて操作信号を第１通信方式で送信するか第２通信方式で送信するかを制御することが可能となる。
【００３８】
配信サービスに加入していない場合（Ｓ５：ＮＯ）、制御装置３１は表示装置２０において処理装置３０から出力される映像信号を表示するように入力を選択しているか否かを判定する（Ｓ６）。具体的には、制御装置３１は、ＨＤＭＩ−ＣＥＣを用いて表示装置２０の表示画面がＨＤＭＩケーブルで接続された処理装置３０の映像信号に基づくものであるか否かを判定する。
【００３９】
表示装置２０において処理装置３０から出力される映像信号が入力として選択されていない場合（Ｓ６：ＮＯ）、制御装置３１は第２モードを示すモード信号を生成し、当該モード信号を操作装置４０に送信する（Ｓ４）。一方、表示装置２０において処理装置３０から出力される映像信号が入力として選択されている場合（Ｓ６：ＹＥＳ）、制御装置３１は第３モードを示すモード信号を生成し、当該モード信号を操作装置４０に送信する（Ｓ７）。
【００４０】
第３モードでは、第１の操作子群Ｂ１が操作された場合、操作装置４０は、第１通信方式で第１操作信号Ｑ１を表示装置２０に送信し、第２の操作子群Ｂ２が操作された場合、第２通信方式で第２操作信号Ｑ２を処理装置３０に送信する。さらに、第３の操作子群Ｂ３のうち操作子（数字キー）４７ａ、操作子（チャンネルアップダウン）４７ｂ、操作子（十字キー）４７ｄ、または操作子（番組表）４７ｅが操作された場合、操作装置４０は、第２通信方式で第２操作信号Ｑ２を処理装置３０に送信する。くわえて、第３の操作子群Ｂ３のうち、操作子（地デジ）４７ｈ、または操作子（ＢＳ）４７ｉが操作された場合、操作装置４０は、第１通信方式で第１操作信号Ｑ１を処理装置３０に送信する。
【００４１】
即ち、第２モードの場合は、放送局の番号を指定するための操作子４７ａが操作されると、第１通信方式（例えば、赤外線）で通信がなされ、第３モードの場合は、操作子４７ａが操作されると、第２通信方式（例えば、近距離無線）で通信がなされる。このように表示装置２０の画面に処理装置３０から出力される映像信号のコンテンツが表示されているか、あるいは表示装置２０が受信した映像信号のコンテンツが表示されているかに応じて、通信方式を切り替えたのは、表示装置２０を視聴している視聴者に違和感を与えないためである。
【００４２】
次に、配信サービスに加入している場合（Ｓ５：ＹＥＳ）、制御装置３１は処理装置３０が地デジの再送信エリア内にあるか否かを判定する（Ｓ８）。具体的には、制御装置３１は、配信サービスの契約情報に基づいて処理装置３０が設置されている住所を特定し、特定した住所が地デジの再送信エリア内であるか否かを判定してもよい。このように再送信エリア内であるか否かに応じて、モードを変更したので、再送信エリア内か再送信エリア外に応じて操作信号を第１通信方式で送信するか第２通信方式で送信するかを制御することが可能となる。
【００４３】
処理装置３０が地デジの再送信エリア外である場合（Ｓ８：ＮＯ）、制御装置３１は表示装置２０において処理装置３０から出力される映像信号を表示するように入力を選択しているか否かを判定する（Ｓ９）。表示装置２０において処理装置３０から出力される映像信号が入力として選択されていない場合（Ｓ９：ＮＯ）、制御装置３１は第４モードを示すモード信号を生成し、当該モード信号を操作装置４０に送信する（Ｓ１０）。
【００４４】
第４モードでは、第１の操作子群Ｂ１が操作された場合、操作装置４０は第１通信方式で第１操作信号Ｑ１を表示装置２０に送信し、第２の操作子群Ｂ２が操作された場合、操作装置４０は第２通信方式で第２操作信号Ｑ２を処理装置３０に送信する。さらに、第３の操作子群Ｂ３のうち操作子（ＢＳ）４７ｉが操作された場合、操作装置４０は第２通信方式で第２操作信号Ｑ２を処理装置３０に送信する。くわえて、第３の操作子群Ｂ３のうち操作子（数字キー）４７ａ、操作子（チャンネルアップダウン）４７ｂ、操作子（十字キー）４７ｄ、操作子（番組表）４７ｅ、または操作子（地デジ）４７ｈが操作された場合、操作装置４０は第１通信方式で第１操作信号Ｑ１を処理装置３０に送信する。
【００４５】
一方、表示装置２０において処理装置３０から出力される映像信号が入力として選択されている場合（Ｓ９：ＹＥＳ）、制御装置３１は第５モードを示すモード信号を生成し、当該モード信号を操作装置４０に送信する（Ｓ１１）。
第５モードでは、第１の操作子群Ｂ１が操作された場合、操作装置４０は第１通信方式で第１操作信号Ｑ１を表示装置２０に送信し、第２の操作子群Ｂ２が操作された場合、操作装置４０は第２通信方式で第２操作信号Ｑ２を処理装置３０に送信する。さらに、第３の操作子群Ｂ３のうち操作子（数字キー）４７ａ、操作子（チャンネルアップダウン）４７ｂ、操作子（十字キー）４７ｄ、操作子（番組表）４７ｅ、操作子（ＢＳ）４７ｉが操作された場合、操作装置４０は第２通信方式で第２操作信号Ｑ２を処理装置３０に送信する。くわえて、第３の操作子群Ｂ３のうち操作子（地デジ）４７ｈが操作された場合、操作装置４０は第１通信方式で第１操作信号Ｑ１を処理装置３０に送信する。
【００４６】
次に、処理装置３０が地デジの再送信エリア内である場合（Ｓ８：ＹＥＳ）、制御装置３１は表示装置２０において処理装置３０から出力される映像信号を表示するように入力を選択しているか否かを判定する（Ｓ１２）。表示装置２０において処理装置３０から出力される映像信号が入力として選択されていない場合（Ｓ１２：ＮＯ）、制御装置３１は第６モードを示すモード信号を生成し、当該モード信号を操作装置４０に送信する（Ｓ１３）。
【００４７】
第６モードでは、第１の操作子群Ｂ１が操作された場合、操作装置４０は第１通信方式で第１操作信号Ｑ１を表示装置２０に送信し、第２の操作子群Ｂ２が操作された場合、操作装置４０は第２通信方式で第２操作信号Ｑ２を処理装置３０に送信する。さらに、第３の操作子群Ｂ３のうち、操作子（番組表）４７ｅ、操作子（地デジ）４７ｈ、または操作子（ＢＳ）４７ｉが操作された場合、操作装置４０は第２通信方式で第２操作信号Ｑ２を処理装置３０に送信する。くわえて、第３の操作子群Ｂ３のうち操作子（数字キー）４７ａ、操作子（チャンネルアップダウン）４７ｂ、または操作子（十字キー）４７ｄが操作された場合、操作装置４０は第１通信方式で第１操作信号Ｑ１を処理装置３０に送信する。
【００４８】
一方、表示装置２０において処理装置３０から出力される映像信号が入力として選択されている場合（Ｓ１２：ＹＥＳ）、制御装置３１は第７モードを示すモード信号を生成し、当該モード信号を操作装置４０に送信する（Ｓ１４）。
第７モードにおいて、第２の操作子群Ｂ２または第３の操作子群Ｂ３が操作された場合、操作装置４０は、第２通信方式で第２操作信号Ｑ２を処理装置３０に送信し、第１の操作子群Ｂ１が操作された場合、第１通信方式で第１操作信号Ｑ１を表示装置２０に送信する。
【００４９】
このようにモード信号を操作装置４０が受信すると、操作装置４０の制御装置４１は、処理装置３０の動作状態に応じて、第１通信方式を用いて第１操作信号Ｑ１を送信部Ｘに送信させるか、または第２通信方式を用いて第２操作信号Ｑ２を送信部Ｘに送信させるかを制御する。
【００５０】
また、上述したように、処理装置３０の動作状態が処理装置３０を用いてコンテンツを視聴可能である場合には、第２通信方式を用いて第２操作信号Ｑ２を送信部Ｘに送信させ、処理装置３０の動作状態が処理装置３０を用いてコンテンツを視聴不可能である場合には、第１通信方式を用いて第１操作信号Ｑ１を送信部Ｘに送信させることができる。これにより、処理装置３０で受信した映像信号を表示装置２０で受信した映像信号より優先して表示させることが可能となる。
【００５１】
また、上述したように、配信サービスの加入の有無に応じて操作信号を第１通信方式で送信するか第２通信方式で送信するかを操作装置４０において制御することが可能となる。この結果、配信サービスに未加入の場合、放送局の番号を指定する操作子４７ａを操作すると、第１通信方式で第１操作信号Ｑ１が表示装置２０へ送信される。従って、利用者は処理装置３０の映像信号を表示装置２０において表示すべきか、表紙装置２０で受信した映像信号を表示装置で表示すべきかを考えて操作装置４０を操作する必要がない。よって、操作装置４０の使い勝手を向上させることができる。
【００５２】
また、上述したように、再送信エリア内であるか否かに応じて、モードを変更したので、再送信エリア内か再送信エリア外に応じて操作信号を第１通信方式で送信するか第２通信方式で送信するかを制御することが可能となる。この結果、再送信エリア外の場合、放送局の番号を指定する操作子４７ａを操作すると、第１通信方式で第１操作信号Ｑ１が表示装置２０へ送信される。従って、利用者は処理装置３０の映像信号を表示装置２０において表示すべきか、表紙装置２０で受信した映像信号を表示装置で表示すべきかを考えて操作装置４０を操作する必要がない。よって、操作装置４０の使い勝手を向上させることができる。
【００５３】
さらに、上述したステップＳ６、ステップＳ９およびステップＳ１２で説明したように、処理装置３０から出力する映像信号が表示装置２０において表示対象となっているか否かに応じて、モードを切り替えた。従って、処理装置３０から出力する映像信号が表示装置２０において表示対象となっているか否かに応じて、第１通信方式を用いて第１操作信号Ｑ１を送信させるか、第２通信方式を用いて第２操作信号Ｑ２を送信させるかを制御することができる。よって、操作装置４０の使い勝手を向上させることができる。
【００５４】
次に、操作装置４０、処理装置３０、および表示装置２０の動作シーケンスの具体例について処理装置３０が再送信エリア内にある場合と再送信エリア外にある場合に分けて説明する。
図５は処理装置３０が再送信エリア内にある場合の動作シーケンスを例示する説明図である。この例では、表示装置２０は所定の仕様を充足しており、処理の開始において、処理装置３０のモードは第２モードであるものとする。また、処理装置３０は配信サービスに加入しているものとする。
【００５５】
利用者が操作装置４０の操作子４７ｋを操作して、表示装置３０の電源の投入を指示すると（Ｓ２０）、操作装置４０は電源の投入を指示する第１操作信号Ｑ１ａを第１通信方式で表示装置２０に送信する。
【００５６】
第１操作信号Ｑ１ａを受信した表示装置２０は電源を投入する（Ｓ２１ａ）。また、表示装置２０は、電源が投入されるとＨＤＭＩ−ＣＥＣを用いて処理装置３０へ起動を指示する制御信号を送信する（Ｓ２１ｂ）。なお、この制御信号は、積極的に処理装置３０の起動を指示するものでなくてもよく、例えば、表示装置２０の電源が投入されたことを知らせる制御信号であってよい。
【００５７】
制御信号を受信した処理装置３０は、状態を起動状態に遷移させる処理を開始する（Ｓ２２）。このように表示装置２０の電源の投入と処理装置３０を起動状態へ遷移させることを連動させたのは、処理装置３０か出力される映像信号に基づくコンテンツを表示装置２０に表示することが好ましいが、処理装置３０の状態が起動状態に遷移するまでに時間が掛かるからである。表示装置３０に対する操作と連動して、処理装置３０の状態を起動状態に遷移させるので、処理装置３０において受信可能な映像信号を利用者が選択した場合に、できる限り速く処理装置３０から出力される映像信号を表示装置２０で表示させることが可能となる。
【００５８】
この後、操作装置４０において、利用者が「４」の操作子４７ａを押下すると（Ｓ２３）、操作装置４０は「４」の操作子４７ａが押下されたことを示す第１操作信号Ｑ１ｂを表示装置２０に送信する。第１操作信号Ｑ１ｂを受信した表示装置２０は放送局の番号が「４」のコンテンツを表示する（Ｓ２４）。この時点では、表示装置２０で表示されるコンテンツは、表示装置２０が放送波を受信して得たものとなっている。
【００５９】
次に、処理装置３０において状態が起動状態になり起動完了になると（Ｓ２５）、処理装置３０は、起動完了を示す起動完了信号Ｍ１を第２通信方式で操作装置４０に送信する。起動完了信号Ｍ１を操作装置４０が受信すると、操作装置４０は、処理装置３０の起動が完了して、処理装置３０の状態が映像信号を出力可能な起動状態に遷移したことを認識する（Ｓ２６）。なお、起動完了とは、処理装置３０が起動状態となり、且つ地デジまたはＢＳの映像信号を配信装置１２から取得するためのアプリケーションの起動が完了したことを意味する。
【００６０】
また、処理装置３０が起動状態になると、処理装置３０の動作状態が第２モードから第６モードに遷移する。このため、操作装置４０において、利用者が「６」の操作子４７ａを押下すると（Ｓ２７）、操作装置４０は「６」の操作子４７ａが押下されたことを示す第１操作信号Ｑ１ｃを表示装置２０に送信する。第１操作信号Ｑ１ｃを受信した表示装置２０は放送局の番号が「６」のコンテンツを表示する（Ｓ２８）。
【００６１】
次に、操作装置４０において、利用者が「番組表」の操作子４７ｅを押下すると（Ｓ２９）、操作装置４０は操作子４７ｅが押下されたことを示す第２操作信号Ｑ２ｃを処理装置３０に送信する。第２操作信号Ｑ２ｃを受信した処理装置３０は番組表を表示する（Ｓ３０）。この例では、処理装置３０は再送信エリア内に位置する。従って、通信網１６を経由して処理装置３０が取得した番組表を表示することも、表示装置３０が放送波から取得した番組表を表示することも可能である。操作装置４０が第２操作信号Ｑ２ｃを処理装置３０に送信したのは、表示装置２０のコンテンツの表示よりも処理装置３０のコンテンツの表示を優先させるためである。
【００６２】
この後、処理装置３０は、入力をＨＤＭＩに切り替えることを指示する制御信号Ｃ１を生成し（Ｓ３１）、制御信号Ｃ１をＨＤＭＩ−ＣＥＣを用いて表示装置２０に送信する。
制御信号Ｃ１を受信した表示装置２０は、入力をＨＤＭＩに切り替えて（Ｓ３２）、処理装置３０から出力される映像信号に基づくコンテンツを表示する。
【００６３】
また、処理装置３０は、表示装置２０の入力がＨＤＭＩに切り替わり、表示装置２０の表示するコンテンツが処理装置３０からの映像信号に基づくものに遷移したことを示す表示切替信号Ｍ２を操作装置４０に第２通信方式を用いて送信する。操作装置４０は表示切替信号Ｍ２を受信すると、表示装置２０の入力がＨＤＭＩに切り替わったことを認識する（Ｓ３３）。このとき、処理装置３０の動作状態は第６モードから第７モードに遷移する。
【００６４】
次に、操作装置４０において、利用者が「６」の操作子４７ａを押下すると（Ｓ３４）、操作装置４０は「６」の操作子４７ａが押下されたことを示す第２操作信号Ｑ２ｄを処理装置３０に送信する。第２操作信号Ｑ２ｄを受信した処理装置３０は放送局の番号が「６」のコンテンツを表示する（Ｓ３５）。
【００６５】
このように、利用者が「６」の操作子４７ａを押下した場合、操作装置４０は、第１通信方式を用いて第１操作信号Ｑ１を表示装置２０に送信するか、第２通信方式を用いて第２操作信号Ｑ２を処理装置３０に送信するかを切り替える。
即ち、操作装置４０の制御装置４１は、処理装置３０の動作状態が処理装置３０を用いてコンテンツを視聴可能である場合には、第２通信方式を用いて第２操作信号Ｑ２を送信部Ｘに送信させ、処理装置３０の動作状態が処理装置３０を用いてコンテンツを視聴不可能である場合には、第１通信方式を用いて第１操作信号Ｑ１を送信部Ｘに送信させる。
【００６６】
図６は処理装置３０が再送信エリア外にある場合の動作シーケンスを例示する説明図である。この例では、表示装置２０は所定の仕様を充足しており、処理の開始において、処理装置３０の動作状態は第２モードであるものとする。また、処理装置３０は配信サービスに加入しているものとする。なお、ステップＳ２０からステップＳ２６までの動作シーケンスは、図５を参照して説明した処理装置３０が再送信エリア内にある場合の動作シーケンスと同様であるので説明を省略する。
【００６７】
ステップＳ２６において、処理装置３０が起動状態に遷移したことを操作装置４０が認識する。このとき、処理装置３０の動作状態は第２モードから第４モードに遷移する（図４ステップＳ４：ＮＯ）。この後、操作装置４０において、利用者が「６」の操作子４７ａを押下すると（Ｓ２７）、操作装置４０は「６」の操作子４７ａが押下されたことを示す第１操作信号Ｑ１ｃを表示装置２０に送信する。第１操作信号Ｑ１ｃを受信した表示装置２０は放送局の番号が「６」のコンテンツを表示する（Ｓ２８）。
【００６８】
次に、利用者が操作子（番組表）４７ｅを押下すると（Ｓ４０）、操作装置４０は操作子４７ｅが押下されたことを示す第１操作信号Ｑ１ｄを表示装置２０に送信する。第１操作信号Ｑ１ｄを受信した表示装置２０は番組表を表示する（Ｓ４１）。
この例では、処理装置３０は再送信エリア外に位置する。従って、通信網１６を経由して処理装置３０が取得した番組表を表示することはできない。一方、表示装置３０が放送波から取得した番組表を表示することは可能である。そこで、操作装置４０は第１操作信号Ｑ１ｄを表示装置２０に送信して番組表を表示させる。
【００６９】
次に、利用者が操作子（ＩＰＴＶ）４７ｇを押下すると（Ｓ４２）、操作装置４０は操作子４７ｇが押下されたことを示す第２操作信号Ｑ２ｅを処理装置３０に送信する。第２操作信号Ｑ２ｅを受信した処理装置３０は通信網１６を介して受信したＩＰＴＶを表示する（Ｓ４３）。
【００７０】
この後、処理装置３０は、入力をＨＤＭＩに切り替えることを指示する制御信号Ｃ２を生成し（Ｓ４４）、制御信号Ｃ２をＨＤＭＩ−ＣＥＣを用いて表示装置２０に送信する。制御信号Ｃ２を受信した表示装置２０は、入力をＨＤＭＩに切り替えて（Ｓ４５）、処理装置３０から出力される映像信号に基づくコンテンツを表示する。
【００７１】
また、処理装置３０は、表示装置２０の入力がＨＤＭＩに切り替わり、表示装置２０が表示するコンテンツが処理装置３０からの映像信号に基づくものに遷移したことを示す表示切替信号Ｍ３を操作装置４０に第２通信方式を用いて送信する。操作装置４０は表示切替信号Ｍ３を受信すると、表示装置２０の入力がＨＤＭＩに切り替わったことを認識する（Ｓ４６）。このとき、処理装置３０の動作状態は、第４モードから第５モードに遷移する。
【００７２】
この後、操作装置４０において、利用者が「１」「２」「３」の操作子４７ａを押下すると（Ｓ４７）、操作装置４０は「１」「２」「３」の操作子４７ａが押下されたことを示す第２操作信号Ｑ２ｆを処理装置３０に送信する。第２操作信号Ｑ２ｆを受信した処理装置３０は番号が「１２３」のコンテンツを表示する（Ｓ４８）。
【００７３】
次に、操作装置４０において、利用者が操作子（地デジ）４７ｈを押下すると、操作装置４０は、操作子（地デジ）４７ｈが押下されたことを示す第１操作信号Ｑ１ｅを表示装置２０に送信する（Ｓ４９）。第１操作信号Ｑ１ｅを受信した表示装置２０は入力をＨＤＭＩから切り替えて地デジ番組表を表示する（Ｓ５０）。さらに、操作装置４０において利用者が「６」の操作子４７ａを押下すると（Ｓ５１）、「６」の操作子４７ａを押下したことを示す第１操作信号Ｑ１ｆを表示装置２０に送信する。表示装置２０は第１操作信号Ｑ１ｆを受信すると放送局の番号が「６」のコンテンツを表示する（Ｓ５２）。なお、処理装置３０は表示装置２０の表示対象が処理装置３０から出力する映像信号から表示装置２０で受信した映像信号に切り替わったことを、ＭＤＭＩ−ＣＥＣを介して表示装置２０から取得してもよい。
【００７４】
＜変形例＞
本発明は、以上に例示した実施形態に限定されない。具体的な変形の態様を以下に例示する。以下の例示から任意に選択された２以上の態様を併合してもよい。
【００７５】
（１）前述の形態において、操作装置４０が第１通信方式で操作子４７ａが操作されたことを示す第１操作信号Ｑ１を送信する場合に、第２通信方式で第２操作信号Ｑ２を送信し、処理装置３０において、表示装置２０に対する操作の履歴情報を生成し、これを管理装置１４に送信してよい。
【００７６】
（２）前述の形態において、図４に示すステップＳ１では、表示装置２０が所定の仕様であるかを判定するため表示装置２０の仕様に関する情報を取得したが、本発明はこれに限定されない。例えば、所定の仕様を充足するか否かを処理装置３０から表示装置２０へ信号を送信することによって、確認してもよい。例えば、表示装置２０において表示中のコンテンツが処理装置３０から入力されたものであるかを処理装置３０が確認できるか否かについては、表示装置２０に対して、表示中のコンテンツが処理装置３０の映像信号であるかを表示装置２０に問い合わせて、応答が得られるか否かを判定すればよい。
【００７７】
（３）前述の形態において、図５に示すステップＳ２１ｂでは、表示装置２０が処理装置３０を起動させる制御信号を処理装置３０に送信したが、本発明はこれに限定されるものではない。例えば、ステップＳ２０において、操作装置４０が表示装置２０に第１操作信号Ｑ１ａを送信すると共に、処理装置３０の起動を指示する第２操作信号Ｑ２ｘを第２通信方式で処理装置３０に送信する。この場合、第１操作信号Ｑ１ａと第２操作信号Ｑ２ｘの送信タイミングは、必ずしも同時でなくてもよく、送信タイミングが前後してもよい。換言すれば、操作装置４０は、第１通信方式を用いて第１操作信号Ｑ１を送信させると共に、第２通信方式を用いて処理装置３０を起動状態に遷移させる制御信号を送信する。
【００７８】
（４）前述の形態において例示したフローチャートにおいて、各ステップの順序を変更してもよい。すなわち、本発明の好適な態様における各処理の順序は、特定の順序に限定されない。
【００７９】
（５）前述の形態に例示した各機能は、ハードウェアおよびソフトウェアの任意の組合せによって実現される。また、各機能は、単体の装置によって実現されてもよいし、相互に別体で構成された２個以上の装置によって実現されてもよい。また、本願における「装置」という用語を、回路、デバイスまたはユニット等の他の用語に置換してもよい。
【００８０】
（６）前述の形態で例示したプログラムは、ソフトウェア、ファームウェア、ミドルウェア、マイクロコードまたはハードウェア記述言語と呼ばれるか、他の名称によって呼ばれるかを問わず、命令、命令セット、コード、コードセグメント、プログラムコード、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順または機能等を意味するよう広く解釈されるべきである。
【００８１】
（７）また、ソフトウェア、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００８２】
（８）本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステムおよび／またはこれらに基づいて拡張された次世代システムに適用されてもよい。
【００８３】
（９）入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８４】
（１０）判定は、１ビットで表される値（０か１か）によって行われてもよいし、真偽値（Boolean：trueまたはfalse）によって行われてもよいし、数値の比較（例えば、所定の値との比較）によって行われてもよい。
【００８５】
（１１）本明細書で説明した各態様／実施形態は単独で用いてもよいし、組み合わせて用いてもよいし、実行に伴って切り替えて用いてもよい。
【００８６】
（１２）本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【００８７】
（１３）本明細書で使用する「システム」および「ネットワーク」という用語は、互換的に使用される。
【００８８】
（１４）本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００８９】
（１５）前述の各形態で例示した通り、携帯電話機またはスマートフォン等の端末装置を操作装置４０として利用してもよい。端末装置は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９０】
（１６）「接続された(connected)」、「結合された(coupled)」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、或いはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００９１】
（１７）前述の形態では、記憶装置３２または記憶装置４２としてＲＯＭおよびＲＡＭ等の記録回路を例示したが、フレキシブルディスク、光磁気ディスク(例えば、コンパクトディスク、デジタル多用途ディスク、Ｂｌｕ−ｒａｙ（登録商標）ディスク)、スマートカード、フラッシュメモリデバイス(例えば、カード、スティック、キードライブ)、ＣＤ−ＲＯＭ（Compact  Disc−ＲＯＭ）、レジスタ、リムーバブルディスク、ハードディスク、フロッピー（登録商標）ディスク、磁気ストリップ、データベース、サーバその他の適切な記憶媒体である。また、プログラムは、電気通信回線を介して送信されても良い。
【００９２】
（１８）本願の全体において、例えば、英語におけるa、anおよびtheのように、翻訳によって冠詞が追加された場合、これらの冠詞は、文脈から明らかにそうではないことが示されていなければ、複数を含む。
【００９３】
（１９）本発明が本明細書中に説明した実施形態に限定されないことは当業者にとって明白である。本発明は、特許請求の範囲の記載に基づいて定まる本発明の趣旨及び範囲を逸脱することなく修正および変更態様として実施することができる。したがって、本明細書の記載は、例示的な説明を目的とし、本発明に対して何ら制限的な意味を有さない。また、本明細書に例示した態様から選択された複数の態様を組合わせてもよい。
【符号の説明】
【００９４】
１０…映像再生システム、１２…配信装置、１４…管理装置、１６…通信網、１８…再生制御システム、２０…表示装置、３０…処理装置、３１…制御装置、３２…記憶装置、３３…通信装置、３４Ａ…受信機、３５…計時装置、４０…操作装置、４１…制御装置、４２…記憶装置、４３…操作受付部、４４…第１送信機、４５Ｂ…第２送信機、４７…操作子。
【図１】
2019050525.tif 000003
【図２】
2019050525.tif 000004
【図３】
2019050525.tif 000005
【図４】
2019050525.tif 000006
【図５】
2019050525.tif 000007
【図６】
2019050525.tif 000008